Podtech/llm-jp-corpus-v4-ja_patent huggingface dataset:
(57)【要約】      （修正有）【課題】これまで松の盆栽に使われてきた松の発芽方法とは異なり、松かさを利用して松かさの中から発芽させる方法である。【解決手段】松かさ１の鱗片２と鱗片２にある隙間へ、土３と松の種４を混ぜあわせた物５を入れ込む事により、土３と松の種４を混ぜあわせた物５は構成されている。水分を含むと鱗片が閉じようとする習性から発芽できる隙間を保つ事が出来る。松かさを、土の中に植え込む事により、水分の管理が容易になり発芽と松の苗の管理が出来る。【選択図】図２
2008173105.tif 000002
【特許請求の範囲】
【請求項１】
松かさの鱗片と鱗片の間に、松の種と土を混ぜた物を入れ込み発芽させる方法に関する松かさを利用した盆栽である。
【発明の詳細な説明】
【技術分野】
【０００１】  本発明は、松の発芽を松かさから発芽させ、松かさを利用した盆栽に関するものである。
【背景技術】
【０００２】  従来、松の苗は松かさから種を取り出し、そのまま土に植えて発芽した松を利用して様々な松の盆栽に仕上げていた。【０００３】  従来、松かさは水分を含むと鱗片と鱗片が重なり合って小さくなり鱗片と鱗片との間に隙間が無くなるので、松かさを利用して種を蒔く事は松かさの習性により考える人はいなかった。
【発明の開示】
【発明が解決しようとする課題】
【０００４】  従来は、松かさから取り出した松の種を、土に種を蒔く事で発芽させ盆栽用の松を発芽させていた。【０００５】  従来、松かさを利用して種を蒔く事は、松かさの習性により考える人はいなかった。【０００６】  従来、松かさは水分を含むと鱗片は閉じる性質があるために、松かさに種を蒔いただけでは発芽する事は無かった。
【問題を解決するための手段】
【０００７】  本発明の松かさから発芽させる為には、水分を含むと鱗片が閉じようとするので、発芽する隙間と水分を保つ隙間を確保する必要性があります。
【０００８】  本発明は、この水分を含むと鱗片が閉じるのを防ぐ為に、鱗片と鱗片の隙間に松の種と土を混ぜた物を入れ込む事により、土が水分を含ませても鱗片と鱗片の隙間が閉じない働きをし、発芽できるように隙間を確保できる。
【０００９】  本発明は、土と種を混ぜ合わせた物を作る事により、発芽に必要な水分を土が保つ事ができる。
【００１０】  本発明の松かさから発芽させた盆栽は、松の種と土を混ぜた物を入れ込んだ松かさ自体を土に植え込む事により、発芽に必要な水分を保つ事が出来る為に、植え込みから発芽までの水の管理が容易に出来る方法なのです。
【００１１】  発芽した後は、松かさから発芽しているので、この松かさごと盆栽鉢に植え替える事ができる。
【発明の効果】
【００１２】  本発明の松かさから発芽させた盆栽は、松の種と土を混ぜ合わせた物を鱗片と鱗片に入れ込む事により、初めて鱗片と鱗片の間に発芽する隙間を保ち水分を保つ事が出来るようになった。
【００１３】  松の種と土を混ぜ合わせた状態にし、松の種と土を混ぜ合わせた松かさ自体を土に埋め戻す事で、水分管理が容易に出来る。
【００１４】  松の発芽方法としては、これまでに無かった方法であり、自然のまま松かさを利用して新しい松の盆栽として提供す事が出来る。
【００１５】  これまで利用されなかった松かさを、盆栽として利用いるもは無かったので、新たな景観を盆栽として表現できる。
【００１６】  従来の盆栽とは異なった発芽方法により、様々な種類の松を発芽させる事も可能であり、盆栽として提供できる。
【発明を実施するための最良の形態】
【００１７】  本発明の松かさから発芽させた盆栽は、図２にあるよく乾いた松かさ１の鱗片２と鱗片２にある隙間へ、土３と松の種４を混ぜあわせた物５を入れ込む事により、土３と松の種４を混ぜあわせた物５は構成されている。【００１８】  この土３と松の種４を混ぜあわせた物５を構成する事により、発芽させる段階において水分の確保をし、尚且つ水分を含むと鱗片が閉じようとする習性から発芽できる隙間を保つ事が出来るように構成されている。【００１９】  本発明の松かさから発芽させた盆栽は、図３にあるように発芽を管理する為にこの土３と松の種４を混ぜあわせた物を準備した松かさを、土の中に植え込む事により、水分の管理が容易になり発芽と松の苗の管理が出来る。
【産業上の利用可能性】
【００２０】  松かさを利用し発芽させた新しい方法により盆栽を提供できる。図４
【図面の簡単な説明】
【００２１】
【図１】松かさを描いたものです。
【図２】松かさに松の種と土を混ぜ合わせた物を入れ込んだ時の断面図である。
【図３】松かさに松の種と土を混ぜ合わせた物を入れ込んだ状態で、水分の管理を行う為に土に植え込んだ状態である。
【図４】松かさから発芽したものを、盆栽鉢に植え替えて盆栽となった所です。
【符号の説明】
【００２１】１      松かさ
２      鱗片
３      土
４      松の種
５      土３と松の種４を混ぜあわせた物
６      松の苗
７      植木鉢
８      盆栽として形成する針金
９      地面
Ａ−Ａ  断面線
【図１】
2008173105.tif 000003
【図２】
2008173105.tif 000004
【図３】
2008173105.tif 000005
【図４】
2008173105.tif 000006
(57)【要約】【課題】      近年は家庭菜園をされて楽しむことが日常となっている中で野菜の苗植えされてもなかなか綺麗に整列されていないのが現状、この様なことを誰もが簡単に整列して定植することを可能にするＵ字形定植位置器具（１）を提供する。【解決手段】図１に示すように給水管及び配水管などを２ツ割りにしたＵ字形状態のそこの中心部分に径約２５φ位の穴（２）を長手方向に一定間隔で開けたＵ字形定植位置器具（１）を作る、菜園使用とする畝（３）の上にＵ字形定植位置器具（１）を図２のように置く、この場合Ｕ字形定植位置器具（１）全体を押さえて土に少し沈める、種を蒔く時は３〜４粒を穴（２）のところに置く、又苗の場合は穴（２）の所に剣先ピン（７）でもって押し刺して穴（１０）を開けるＵ字形定植位置器具（１）をはずして穴（１０）の所に苗を差して土を寄せて苗を固める、こうする事で苗、種ともに綺麗に整列する。【選択図】図１
2008173106.tif 000002
【特許請求の範囲】
【請求項１】
給水管又は配水管約５０φ程度を２ツ割りにした、戸ゆう受け状態のＵ字形の底中心部に約２５φ位の穴（２）を長手方向に約１０ｃｍ間隔で開けてある器具を特徴とするＵの字形定植位置器具。
【請求項２】
Ｕの字形定植位置器具（１）の長さは扱いやすい持ち運びし安くするのに、１ｍ、１．５ｍ、２ｍ、２．５ｍに加工したものを特徴とする、しかし長さには限定しない、Ｕの字形定植位置器具。
【請求項３】
請求項１に記載したＵの字形定植位置器具（１）を実施の際に苗植えの場合に畝に一定間隔に穴を開けるための剣先ピン（７）を特徴とする。
【発明の詳細な説明】
【技術分野】
【０００１】  本発明は、家庭菜園において野菜苗、及び種蒔する時の整列定植に関する。
【背景技術】
【０００２】  従来の家庭菜園においては一般には目安で苗植え、種蒔をされていることが多い、たまには紐か縄を張って、縄に沿って適当に苗植え、種蒔をされている、しかしこれでは綺麗に揃わないので綺麗な畑にならない、楽しみが薄れると言う欠点があった。
【発明の開示】
【発明が解決しようとする課題】
【０００３】  最近は休日が多くなりな家庭菜園を楽しんでおられるのが現状である、そんな中種蒔、苗植えされても綺麗に整列されていないようです，ここで誰もが田植え、種蒔を綺麗に整列定植、種まきを容易に可能にすることを解決の課題とする。
【課題を解決するための手段】
【０００４】  本発明は給水管及び配水管の約５０φ位を縦長に２ツ割りにする、雨戸ゆの状態つまりＵの字にした底中心部に約２５φの穴（２）を  長手方向に１定間隔で開けたＵ字形定植位置器具（１）作る、
そうして畑を耕し畝（３）を作った、畝（３）上にＵ字形定植位置器具（１）を置き少し軽く叩いてＵ字形定植位置器具（１）を１５ｍｍ程度沈める、次に  Ｕ字形定植位置器具（１）の穴の所に種（１２）を好みの数だけパラパラと蒔く。【０００５】  又苗植えの場合はＵ字形定植位置器具（１）の穴（２）中心に、剣先ピン（７）で押し刺していきます、刺し終えたらＵ字形定植位置器具（１）を取り除き、畝のところには１定間隔に穴が開いており、その畝の穴が開いたところえ苗（９）を入れて土を寄せて土を固めます、綺麗に整列することで解決するための手段とする。
【発明の効果】
【０００６】  本発明はＵ字形定植位置器具（１）を使用することにより、簡単に確実に苗植え、種蒔が可能にするものである整列して野菜が育つので畑が美しく見栄えが良くて楽しい家庭菜園になる大きな効果がある。
【発明を実施するための最良の形態】
【０００７】  本発明のＵ字形定植位置器具（１）は給水管及び配水管を立て２ツ割にしたものを用いる、Ｕ字形の底中心部に径約２５φ位の穴（２）を長手方向に１定間隔で穴あけする、Ｕ字形定植位置器具（１）の全体の長さは１．５ｍ、２ｍ、２．５、と製作しておき、実施の場合畑の畝の長さと使い易さに応じる、例えば畝の長さが３ｍあるなら１．５ｍのＵ字形定植位置器具（１）を二回繰り返して使用する。
【実施例】
【０００８】  又図２で示すように畑を耕して畝を作りその畝（３）の上にＵ字形定植位置器具（１）を置き軽く少し叩くか押さえて沈める、Ｕ字形定植位置器具（１）の穴（２）の開いたところに種を３〜４個ばら蒔く、又苗の場合はＵ字形定植位置器具（１）の穴（２）の中心を剣先ピン（７）で押し刺していくＵ字形定植位置器具（１）を取り除きくその後には剣先ピン（７）で刺した穴が開いているのでそこに苗（９）を入れて土を寄る、Ｕ字形定植位置器具（１）を使用することにより苗、種ともが芽生えた時は綺麗に整列しているために美しい畑作りになる。
【図面の簡単な説明】
【０００９】
【図１】  給水管及び配水管を縦て２ツ割にして一定間隔に穴あけしたＵ字形定植位置器具（１）
【図２】  Ｕ字形定植位置器具（１）を畝の上に置いた斜視図
【図３】  Ｕ字形定植位置器具（１）を畝の上に置いて（２−１）は剣先ピン（７）で刺したもの、（２−２）種を蒔いた状態斜視図
【図４】  剣先ピン（７）平面図
【図５】  畝の上にＵ字形定植位置器具（１）を置いて剣先ピン（７）で一定間隔定植穴を押し開けている状態を示す斜視図
【図６】  畝の上にＵ字形定植位置器具（１）を置いて剣先ピン（７）で一定間隔定植穴を押し開けている状態を示す断面図
【図７】  畝の上に穴を押し開けした所に苗を移植した側面図
【図８】  畝の上にＵ字形定植位置器具（１）によって種蒔きした畝の平面図と断面図
【符号の説明】
【０００９】    １          Ｕ字形定植位置器具
２          穴（一定間隔に定植する）
３          土を盛り上げた畝
４          畝の断面
５          窪み
６          剣先ピンの断面
７          剣先ピン
８          剣先
９          苗
１０        押し開けた穴
１１        穴跡
１２        種
Ａ−Ａ      畝の断面図
２−１      剣先ピンで刺した穴
２−２      蒔いた種
７−１      剣先ピン押し刺した状態
【図１】
2008173106.tif 000003
【図２】
2008173106.tif 000004
【図３】
2008173106.tif 000005
【図４】
2008173106.tif 000006
【図５】
2008173106.tif 000007
【図６】
2008173106.tif 000008
【図７】
2008173106.tif 000009
【図８】
2008173106.tif 000010
(57)【要約】【課題】１個の工作糊で塗る、押さえる、印しるしをつける、貼る、見る、計る事が早くでき汚れる事が無く清潔に作業でき、尚且つ置き場所を最小限にした糊工作文具を提供する。【解決手段】糊容器に開閉式フタと、さし・拡大鏡付転倒防止台座とスタンプと印紙・切手貼りスポンジが付いた多機能糊文具である。【選択図】図１
2008173949.tif 000002
【特許請求の範囲】
【請求項１】
糊容器とその糊容器の一端に開閉式蓋と前記糊容器の他端にさし付転倒防止台座とそのさし付転倒防止台座には拡大鏡が設置され、前記糊容器下部がスタンプになっておりスタンプの前部に水を含んだスポンジがついている多機能糊文具であって前記糊容器には固形糊が収納されてあり前記開閉式蓋上部にプッシュボタンが形成されており、前記開閉式蓋内側にはスプリングが形成されておりそのスプリングの一端には円形台が取付けられており、前記さし付転倒防止台座に目盛りと拡大鏡が設けられている事を特徴とする多機能糊文具。
【発明の詳細な説明】
【技術分野】
【０００１】この発明は糊文具にスタンプとさし・スポンジ・拡大鏡付転倒防止台座を取付けた工作文具に関する物である。
【背景技術】
【０００２】従来、台紙を不要にする為にフタにスリットが入りそのスリットに紙を挟み糊付けをする糊文具があった。
【特許文献１】特公平１１−１１５３８７
【発明の開示】
【発明が解決しようとする課題】
【０００３】従来はこの様な欠点があった。
（イ）糊容器のフタにスリットがあり、そのスリットの間に紙等を挟みスライドさせ糊付けをする方法ではスリット部分の糊しか使用できず、フタがある場合でもフタの脱着の手間、フタの紛失があった。
（ロ）封筒等の糊付け作業に必要な封部分の押さえや、〆や緘の印・又切手印紙を貼る文具が別に必要で物を探す手間と置き場所と一連の作業に時間が掛かり、作業場所が汚れる事があった。
【課題を解決するための手段】
【０００４】封筒等の糊付け時、工作時等の時には開閉式フタと本体の間に被糊塗布材を挟みこみ本体又は被糊塗布材をスライドさせる事で隅々まで塗れ手や机など糊付け不要部分か汚れない。面積の大きい被糊塗布材の時は開閉式フタを開けたまま塗れる為、大変便利である。糊付けをする時プッシュ式上ブタは下向きで使用する為、自然とプッシュ式上ブタを押すようになり、押す場所がない場合は手で押せば良い。作業が済めば自然とプッシュ式上ブタの中のスプリングが返り中ブタ塗り台の中に隙間が出来る為、糊が中ブタ塗り台につかない。この多機能付糊文具を使用する事により糊付け部分の押さえ、〆や緘の印、切手・印紙・を貼る。線やアールの描画、長さを計る、見る、読む等、１個で様々な用途に使用でき大変役に立つ新しい日常文具となる。又、転倒防止台座がある事によって場所をとることも机の上で糊が転がってしまう事もなく、転倒防止台座に拡大鏡を取付けてあるので目の悪い人の工作時に小さい文字や物等を見るのに大変役に立つ。固形糊だけでなく液体糊にも取入れる事が出来る。糊を塗る、押さえる（又は引く）、印（スタンプ）をつける、切手・印紙・を貼る線やアールを描く、長さを図る。１行程でスピードが短縮され収納時は立てる事により場所をとらない画期的な工作用糊付け文具である。
【発明の効果】
【０００６】糊容器にプッシュ式上ブタ（Ａ）、スプリング、中ブタ塗り台、を形成する事により台紙不要で周囲への糊の付着が防げ、糊容器のフタを一体型開閉式にする事で紙片も紙全体も糊付けする事ができフタの転がり落ちや紛失も防げ作業をスムーズに進める事が出来る。又、糊容器にさし付転倒防止台座（Ｇ）・プッシュ式スタンプ（Ｅ）スポンジ（Ｈ）を取付ける事により糊の転倒、転がりを防ぎ糊付け後の紙の押さえ、封部分に緘や〆の捺印、切手・印紙の貼り付け直線・曲線・図形等の描画、短辺の測定等、最小限のスペースで１個の糊付け文具が多機能に使用出来、作業時間の短縮、物を探す手間・小スペース作業の実現に大変役立つ
【発明を実施するための最良の形態】
【０００７】プッシュ式上ブタ（Ａ）は滑り難いゴム等を使用し、さし付転倒防止台座（Ｇ）には１ミリ単位で目盛りがあり５ミリ単位部分は目盛りが長く分かり易く１０ミリ単位部分には数字が入り・スタンプ（Ｅ）は差込み脱着式で取替えが可能で様々な形やマークを、取入れる事ができ、スポンジ（Ｈ）の中には水を含ませ切手・印紙等を貼るのに使用でき糊本体は詰替え式にする事で、半永久的に使用する事ができる。
【実施例】
【０００８】さし・拡大鏡付転倒防止台座（Ｇ）をはずす事により、工作時の取扱説明書等の小文字や注意書き、警告、マーク等を確認、大きく見る事ができ図面等の縮図の長さを計る事に役に立つ。
【図面の簡単な説明】
【図１】多機能糊文具の分解斜視図
【符号の説明】
（Ａ）プッシュ式上ブタ
（Ｂ）開閉式フタ
（Ｃ）糊容器
（Ｄ）糊伸縮つまみ
（Ｅ）スタンプ（印）
（Ｆ）スポンジキャップ
（Ｇ）さし・拡大鏡付転倒防止台座
（Ｈ）切手・印紙貼りスポンジ
（Ｉ）拡大鏡
（Ｊ）スポンジケース付スタンプキャップ
【図１】
2008173949.tif 000003
(57)【要約】      （修正有）【課題】受験生用のカレンダーでアナログ式のものはない。また従来のアナログ式カレンダーでは、年次カレンダーが人の一生を基準として作られており、受験生など３年、もしくは６年の短期間で現在、自分が受験スケジュールのどの位置にいるかを的確に視覚に訴えるものはない。これを解決することにより「もう残り時間が少ない」ことを自覚させ勉強せねばというやる気を起こさせることができる。【解決手段】アナログ式表現により、年次カレンダーを受験生のスケジュールに合わせて３年、もしくは６年とした。また１２ヶ月計、３１日計を別々に表示して、受験生が受験勉強のスタートからゴールまでどの位置にいるかを視覚的・直感的に把握できるようにした。【選択図】図１
2008173948.tif 000002
【特許請求の範囲】
【請求項１】
３年もしくは６年を示すアナログ計と１２ヶ月を示すアナログ計、３１日間を示すアナログ計からなるカレンダー。
【発明の詳細な説明】
【技術分野】
【０００１】  本発明は、受験生用のカレンダーに関する。
【背景技術】
【０００２】  従来のアナログ式カレンダーには、人生を１２０年として現在の年齢を提示するものがある。
【特許文献１】  特許公開２００５−３２１４１８  人生時計
【発明の開示】
【発明が解決しようとする課題】
【０００３】  受験生が一般家庭で通常使っているマスに日付が入ったカレンダーは、受験までどのくらい日にちが残っているか明確に提示するものがない。〔０００２〕で上述したアナログ式カレンダーでは、残り時間をアナログで提示しているが、一生を１２０年として作られており、また１２ヶ月、１ヶ月の３１日間を示すカレンダーがない。よって、受験生など３年、もしくは６年の短期間で、自分が受験スケジュールのスタートからゴールまでの間のどの位置にいるかを的確に視覚に訴えるものはない。
【課題を解決するための手段】
【０００４】  本発明は、このような従来の構成が有していた問題を解決しようとするものであり、年次カレンダーを３年もしくは６年として受験生用として特化し、年月日表示部を各部位ごとに分けることにより視覚的直感性を高めたものである。
【発明の効果】
【０００５】  だいたいにおいて、受験生というものは入試の直前にならないと勉強に身が入らないものであり、入試直前では３０日前に比べると２次元カーブを示すがごとく勉強の能率が向上する。これはせっぱ詰まってきて、「やらねばならぬ」というやる気がそうさせているのである。上述したように本発明の受験生用アナログ式カレンダーは、受験生が現在、受験スケジュールのどの位置にいるかを示し、受験までの残り時間を視覚的・直感的に示すことにより、受験までの残り時間を受験準備早期から強く認識させ「もう時間がないから、くだらないことをやっていないで勉強しなくては」と強いやる気を起こさせるものである。
【発明を実施するための最良の形態】
【０００６】  以下、本発明の実施の形態を添付図１〜添付図２に基づいて説明する。【０００７】  添付図１においては高校受験、大学受験用の３年次カレンダー（Ａ）および示針（ａ）、１年間を示す１２ヶ月カレンダー（Ｂ）および示針（ｂ）、１ヶ月を示す３１日間カレンダー（Ｃ）および示針（ｃ）からなる。【０００８】  添付図２においては小学校受験、中高一貫校大学受験用の６年次カレンダー（Ａ）および示針（ａ）、１年間を示す１２ヶ月カレンダー（Ｂ）および示針（ｂ）、１ヶ月を示す３１日間カレンダー（Ｃ）および示針（ｃ）からなる。
【図面の簡単な説明】
【０００９】
【図１】高校受験、大学受検用の、３年次カレンダー（Ａ）および示針（ａ）、１年間を示す．１２ヶ月カレンダー（Ｂ）および示針（ｂ）、１ヶ月を示す３１日間カレンダー（Ｃ）および示針（ｃ）からなる。
【図２】小学校受験、中高一貫校  大学受験用の６年次カレンダー（Ａ）および示針（ａ）、１年間を示す．１２ヶ月カレンダー（Ｂ）および示針（ｂ）、１ヶ月を示す．３１日間カレンダー（Ｃ）および示針（ｃ）から構成される．
【図１】
2008173948.tif 000003
【図２】
2008173948.tif 000004
(57)【要約】【課題】従来の書架や雑誌架は、書籍等を身近に、あるいは移動する先々で吊り下げて保管出来ない不便さや、書架内部に保管した場合、腰折れ癖がつく不具合があった。また、書籍を複数冊見る場合は、平たく重ねて置く事になり、目的の書籍を探しづらく、美感も損ねている。【解決手段】身近に書籍を吊り下げて保管するために、本体３を書籍等にしおりの要領で挟み込み、書籍引っ掛け部２を書籍の背下部に引っ掛け、自重を受けて支え、吊り下げ部１によってテーブルやハンガーパイプに吊り下げて保管出来るため、腰折れの癖もつかず、複数冊ある場合も探索が容易である。また、着脱が自在なため、しおりのように必要な箇所に挟み込む事も可能である。【選択図】  図１
2008173906.tif 000002
【特許請求の範囲】
【請求項１】
書籍などを、吊り下げて保管する書籍吊り下げ具において、所定の厚さの薄板からなる鈎状の吊り下げ部を上部に持ち、略Ｊの字型に形成され、中間部で書籍を挟み、下部でこれを支える略直角状の引っ掛け部が形成されている事を特徴とする書籍吊り下げ具。
【発明の詳細な説明】
【技術分野】
【０００１】
本発明は書籍やカタログを吊り下げて保管する書籍吊り下げ具に関する。
【背景技術】
【０００２】
従来、書籍などを保管するためには、書架やマガジンラックなどに立てて収納しておく事が一般的であるが、吊り下げて保管出来るものとして下記文献がある。
【特許文献１】実開平６２９８７９０号公報  上記特許文献１は、長方形の薄い板であって、その長手方向の一端に鈎爪形の係止部（１）を附した事を特徴とする、ファイル・フック。の記載がある。
【発明の開示】
【発明が解決しようとする課題】
【０００３】
従来の書架では書籍を身近に、あるいは移動する先々で吊り下げて保管出来ない。また、自立させて保管しているため腰折れ現象の癖がつきやすく、また書籍を傷める。
【０００４】
机上で仕事をし、書籍を複数冊見る場合など、平たく複数冊重ねて置く事になり、目的の書籍を探しづらく、また美感も損ねる。
【０００５】
特許文献１では、書籍の自重を、挟んだ「面」で支えて取付ける方法のため、容易に外れてしまう。また文面に記載されているように、固定部に接着剤や両面テープ、おろし金のような「かえし」などを用いて固定するなどの工夫もあるが、書籍自体を傷める結果になり易く、また目玉クリップや絹糸、市販のバインダーなど別の要素を付け足して取付ける記載の場合も、取付け方法が複雑で、着脱が容易でない。
【０００６】
本発明はこれらの問題を解決しようとするものであり、机の周りなどの身近な所や、移動する先々で書籍を吊り下げて保管する事が出来、複数冊ある場合にも探索が容易で、書籍を傷つける事無く、着脱が容易で、しおりの機能も持ち合せた用具を実現する事を目的とするものである。
【課題を解決するための手段】
【０００７】
本発明は上記課題を解決するために、書籍などを吊り下げて保管する書籍吊り下げ具において、所定の厚さの薄板からなる鈎状の吊り下げ部を上部に持ち、略Ｊの字型に形成され、中間部で書籍を挟み、下部でこれを支える略直角状の引っ掛け部が形成されている事を特徴とした書籍吊り下げ具である。
【発明の効果】
【０００８】
本発明は上記構成から成るので、以下に示す効果が期待出来る。
【０００９】
１、本発明は書籍を身近に保管出来、読みかけの本などを移動する先々でテーブルの端やハンガーパイプなどに吊り下げて保管出来る。
２、吊り下げ方式のために、書籍の腰折れ癖がつかず、複数の書籍を手元に保管する場合も、目的の書籍の探索が、ハンガーに掛かった洋服を探すように容易である。
３、また、最新号の雑誌やお気に入りの書籍をディスプレイとして吊り下げることも出来、インテリアエレメントとしての効果もある。
４、取付方法は、接着や別の素材で固定することなく、書籍の背下部に書籍引っ掛け部を引っ掛け、自重を受ける方法なので、着脱が容易に出来、書籍を傷める事もない。
５、また、しおりとしての機能があり、必要な箇所に挟む事が出来、挟んだまま書籍を読む事も出来る。
【発明を実施するための最良の形態】
【００１０】
以下、本発明の実施の形態を図面を参照して説明する。図１〜図６に示すように、本体３は書籍に挟み込み易く、書籍が回って書籍引っ掛け部２が外れてしまわないように、薄く平たい略Ｊの字形状であり、厚さは０．５ｍｍから３．０ｍｍが好ましい。材質は書籍の重さにより形が変型したり曲ってしまわない強度をもつ金属や樹脂あるいは木製などから成る。
【００１１】
本体３の長手方向の一端にある吊り下げ部１は、テーブルやハンガーパイプあるいは鴨居等に引っ掛け、吊り下げるための部位であり、テーブル等に掛けた場合も揺れて落ちる事が無いよう、揺れ幅を考慮した所定の窪みを持ち、パイプなどに掛けやすいように丸みを帯びた鈎爪形状が好ましい。また、支持点４は書籍の重さや形状に左右される事無く、テーブル等の平らな面に安定した接地点を得るために先端は丸い形状が好ましい。
【００１２】
書籍引っ掛け部２は、書籍の内側から背下部に確実に引っ掛かるよう、本体３の内側のラインに対し９０度から６０度の範囲で突き出ており、書籍が外れてしまわないように１０．０ｍｍから３０．０ｍｍ程度の出が好ましい。
【００１３】
本体３は、書籍の大きさや形によって長さや大きさを変える事が出来るのは当然である。
【００１４】
また、蝶番等を用い、折り畳む構造にして全長をコンパクトにして携帯しやすくする事も可能であり、本体３がスライド式で伸縮自在とする事で、ひとつの書籍吊り下げ具が様々なサイズの書籍に対応する事も出来る。
【００１５】
さらに、書籍引っ掛け部２に、直径１ｍｍから５ｍｍ程度の穴を形成し、紐を通すことで、書籍を複数並べて吊り下げた場合、紐の締め具合によって、書籍同士の間隔を安定させたり、バラ付きを強制し整える等の管理が出来る。
【図面の簡単な説明】
【００１６】
【図１】本発明の平面図
【図２】本発明の側面図
【図３】本発明の斜視図
【図４】本発明の挟み込み使用斜視図
【図５】本発明のテーブル等への使用斜視図
【図６】本発明のパイプ等への使用斜視図
【符号の説明】
【００１７】
１  吊り下げ部
２  書籍引っ掛け部
３  本体
４  支持点
５  書籍、カタログ等
６  テーブル、デスク等
７  ハンガーパイプ等
【図１】
2008173906.tif 000003
【図２】
2008173906.tif 000004
【図３】
2008173906.tif 000005
【図４】
2008173906.tif 000006
【図５】
2008173906.tif 000007
【図６】
2008173906.tif 000008
(57)【要約】【課題】碁石及び将棋の駒の乗せ台及び乗せ台と乗せ台の間から下の碁石及び将棋の駒が見えそして下の段の碁石及び将棋の駒を動かす事が出来る様にする。【解決手段】囲碁盤及び将棋盤のこちら側と向こう側に何本かの柱を立てて各列毎に２本の梁を間を設けて設け、各列毎に１本の梁とした時は棒を任意形に曲げて梁に固着し、又は任意の形にした板を梁に固着し、又は１本又は２本の各列毎の梁を曲げて乗せ台とする。乗せ台を各列毎に間をあけて板又は透明の板を何段か設ける。上記の乗せ台は何段か設ける。【選択図】図１
2008173433.tif 000002
【特許請求の範囲】
【請求項１】
囲碁盤の何列かに柱を立てて、それで梁を支え、梁、を何段か設け、各段階目の１列毎に複数本の梁（３）．（４）を設ける事を特徴とした立体囲碁盤。
【請求項２】
将棋盤とした事を特徴とした請求項１記載の立体将棋盤。
【請求項３】
囲碁盤の両端に柱を立てて梁（１０）．（１１）．（１２）．（１３）を何段か設けて梁に棒を任意の形に曲げて乗せ台（１４）（１５）．（１６）．（１８）として固着した事を特徴とした立体囲碁盤。
【請求項４】
将棋盤とした事を特徴とした請求項３記載の立体将棋盤。
【請求項５】
囲碁盤に柱を立てて何段かの梁を設け、梁を任意の形に曲げて乗せ台（２１）．（２２）．（２３）とした事を特徴とした立体囲碁盤。
【請求項６】
将棋盤とした事を特徴とした請求項５記載の立体将棋盤。
【請求項７】
囲碁盤に柱を立てて何段かの各列毎の乗せ台（３０）．（３２）の板を設けることを特徴とした立体囲碁盤。
【請求項８】
将棋盤とした事を特徴とした請求項７記載の立体将棋盤。
【請求項９】
囲碁盤に柱を立てて何段かの梁（３４）を設けてその梁に任意の形の乗せ台（３３）の板を設ける事を特徴とした立体囲碁盤。
【請求項１０】
将棋盤とした事を特徴とした請求項９記載の立体将棋盤。
【発明の詳細な説明】
【技術分野】
【０００１】碁石及び将棋の駒を立体的に動かす事に関するものである。【０００２】碁石又は将棋の駒の乗せ台の個個に１本毎の柱を設けていた。
【発明の開示】
【発明が解決しようとする課題】
【０００３】碁石及び将棋の駒を乗せる乗せ台に出来るだけ足を少なくしそして乗せ台の下が見えるようにする。
【課題を解決するための手段】
【０００４】囲碁盤又は将棋盤に１列毎の両端毎に１本又は２本の柱を設けて柱毎に梁を設けるか又は１本の柱に２本の梁を間をあけて設けるか又は両端に何本かの柱を設けて梁をかけてその梁に１列毎に２本の梁を間を設けてかける。そして梁に１目毎に目印を入れる。【０００５】囲碁盤及び将棋盤の両端に柱を設けて梁をかけその梁に円、だ円、多角形、又は任意の形に棒を曲げて固着して乗せ台とするか又は梁を２本かけてその梁を対照的にジグザグ状に曲げて向かい合わせて乗せ台とするか又は１本の梁をジグザグ状に曲げて乗せ台とする。【０００６】囲碁盤又は将棋盤の両端に何本かの柱を立ててそれに大梁をかけて大梁に板又は透明の板をかけて乗せ台とするか又は大梁に梁をかけて梁に任意の形の板又は透明の板を固着する。隣り合った乗せ台に間を設ける。
【発明の効果】
【０００７】碁石と碁石の間から透かして下の碁石が見えそして将棋の駒と将棋の駒の間から透かしで下の将棋の駒が見える。
【発明を実施するための最良の形態】
【０００８】囲碁盤又は将棋盤の両端に２本づつ柱を立てて柱に大梁をかけて大梁に１列毎に梁を２本づつ間をあけて設ける。１目毎に目印を設ける。
【実施例】
【０００９】囲碁盤又は将棋盤の４角に柱を立てて向こう側の柱と向こう側の柱に大梁をかけ、こちら側の柱とこちら側の柱に大梁をかけ大梁と大梁の間に１列毎に２本の梁を対照的に任意の形に曲げて乗せ台とするか又は大梁と大梁の間に１本の梁をジグザグ状に任意の形に曲けて乗せ台とする。【００１０】大梁と大梁に１列毎に１本の梁を設けて梁に任意の形にした金属棒又はプラスチック棒等を設ける。【００１１】大梁と大梁に金属板又はガラス又はプラスチック板を設ける。隣り合った板は間を設ける。前記各各の板に１目毎に目印を設ける。【００１２】大梁と大梁に列毎に梁を設けて梁に任意の形の板又は透明の板を設ける。隣りの板と隣りの板は間を設ける。
【産業上の利用分野】
【００１３】将棋の駒を立体的に動かす事が出来そして囲碁も立体的に考えなければならないので子供の教育に役立と思う。
【図面の簡単な説明】
【００１４】
【図１】立体囲碁盤、将棋盤の見取図である。
【図２】Ａ−Ａ断面図
【図３】立体囲碁盤、将棋盤の見取図である。
【図４】立体囲碁盤、将棋盤の見取図である。
【図５】立体囲碁盤、将棋盤の見取図である。
【図６】Ｂ−Ｂ断面図
【符号の説明】
【００１５】  囲碁盤及び将棋盤  …  １，１７，２０，３１
梁  …  ３，４，１０，１１，１２，１３，３４
かさ上げ  …  ２，５
乗せ台  …  １４，１５，１６，１８，２３，２１，２２，３０，３１，３２
【図１】
2008173433.tif 000003
【図２】
2008173433.tif 000004
【図３】
2008173433.tif 000005
【図４】
2008173433.tif 000006
【図５】
2008173433.tif 000007
【図６】
2008173433.tif 000008
【手続補正書】
【提出日】平成19年10月2日(2007.10.2)
【手続補正１】
【補正対象書類名】特許請求の範囲
【補正対象項目名】請求項３
【補正方法】変更
【補正の内容】
【請求項３】
囲碁盤の両端に柱を立てて梁（１０）、（１１）、（１２）、（１３）を何段か設けて梁に棒を任意の形にして乗せ台（１４）、（１５）、（１６）、（１８）として固着した事を特徴とした立体囲碁盤。
(57)【要約】      （修正有）【課題】単なる電動車椅子では凹地、溝、階段等は走行できないので、手動のみで小さな力でタイヤ走行、キャタピラ走行が簡単に切り換ができる電動車椅子を提供する。【解決手段】電動車椅子に、キャタビラＡとタイヤＪ、Ｒを両方備え必要に応じて、キャタビラ走行・タイヤ走行を切替えるため、ベルトレバー式の電動車椅子の駆動系を備える。また、手動にてキャタビラ走行・タイヤ走行を切替える機構Ｍを備えることにより、手軽に高速にキャタビラ走行・タイヤ走行を切替える。【選択図】図１
2008173409.tif 000002
【特許請求の範囲】
【請求項１】
通常の電動車椅子が凹地、溝、階段を止る事は不可能である。しかし、ベルト（チェン）レバー式の発明により、これは可能となる。
【発明の詳細な説明】
【発明の詳細な説明】
【技術分野】
【０００１】  本発明は、単なる電動車椅子では凹地、溝、階段等は走行できない。又、操作がむずかしいものよりも手動でタイヤ走行、キャタピラ走行が簡単に切り換ができるベルトレバー式が必要になる。そして、手動のみで小さな力で切り換えできるものである。
【背景技術】
【０００２】  従来の電動車椅子は、車輪（タイヤ）式、ベルト式、又は車椅子の車輪が数多あり、３個一体となり階段を一段一段上るものもある。それは実用的ではない。
【発明が解決しようとする課題】
【０００３】  車椅子が階段を上る際、殆んどの車椅子は多数の人力を必要とする。又、特殊なリフトにて上り下りするものが通例である。これを簡単に上り下りするにはベルトレバー式で人力・手間を少くし、平坦走行には数秒でタイヤ走行に切り替えできる。
【課題を解決するための手段】
【０００４】  ベルト（チェン）レバー式は角度変更においても（Ｒ・Ｒ’）弧（半経長）は変わらない。必要に応じて、キャタビラ走行・タイヤ走行は数秒でチェンジできる。その際、レバーＤにかかる力は総重量の約１／１２と考える。計算方法  ０００５  に記
【発明を実施するための最良の形態】
【０００５】  図１から図２になることにより、タイヤ路面走行になり、通常の電動車椅子になる、又図１の場合は凹地、溝、階段等を介助者共に走行できる。Ｄ→Ｄ’の力の計算、ＴＷ（車重）７０ｋｇ、体重６０ｋｇ、合計１３０ｋｇ、総重量α
ＺＷ＝α１／２＝６５ｋｇ、ＶＷ：ＶＤ＝１：３＝６５／３＝２１．６ｋｇ左１１ｋｇ．右１１ｋｇゆえにＤにかかる力１１ｋｇ考えられる。
【実地例】
【０００６】  以下添付面に従って実地例を説明する。
図１はキャタピラ走行状態である。タイヤ走行で走る場合、第１にＭスイッチをゆっくり半回転前進しながらこれを右・完了後、左を完了させる。ＤをＤ’するとＲはＲ’にダウンスィングする。
【図面の簡単な説明】
【０００７】
【図１】本発明のベルトレバー式電動車椅子がキャタピラ走行時の側面図である。
【図２】本発明のベルトレバー式電動車椅子がタイヤ走行時の側面図である。
【符号の説明】
【０００８】Ａ    キャタピラ
Ｂ    イス角度調整具
Ｃ    前輪タイヤ格納時レバー
Ｃ′  タイヤ走行時
Ｄ    転倒防止レバー
Ｄ′  タイヤ走行レバー
Ｅ    後輪タイヤ動力用ベルト（チェン）
Ｆ    最先端プーリー
Ｇ    主力動力プーリー
Ｈ    前輪プーリー
Ｉ    介助用ハンドル
Ｊ    格納時前輪タイヤ
Ｊ′  走行時前輪タイヤ
Ｋ    肘掛
Ｌ    上下する座面
Ｍ    電動コントロール機
Ｎ    動力モーター
Ｏ    椅子角度軸
Ｐ    ステップ（足置）
Ｑ    バッテリー
Ｒ    後部タイヤ転倒防止役
Ｒ′  タイヤ走行可能時
Ｓ    椅子角度調整レバー
Ｔ    Ｆ軸・ＪＪ’軸・Ａ調整ボルト
Ｕ    前輪タイヤ軸
Ｖ    Ｇ軸
Ｗ    ＲＲ’軸
Ｘ    階段転倒防止
Ｙ    フレーム
Ｚ    車軸総重中心
ＧＬ  路面
α    総重量
【図１】
2008173409.tif 000003
【図２】
2008173409.tif 000004
(57)【要約】【課題】        勤労中や冠婚葬祭時に雨水から履いている靴を保護出来る携帯用靴保護雨具【解決手段】    伸縮自在に出来る性質をもつゴムを素材に使用し靴下状に成型、さらに装着歩行時に起こる内側中底の滑り防止のため靴保護雨具底に凹凸を付け、靴保護雨具の外側路面接触部には路面との摩擦による破れや、ゴムよれ防止にもなる滑り止めを貼り付ける事で実用性、安全性を高める事を可能にすることが出来、靴の形状に関係なく靴の上から履く、携帯用として持ち歩くことも可能にした。【選択図】図１
2008173410.tif 000002
【特許請求の範囲】
【請求項１】
伸縮自在に出来る性質のゴム素材を靴下状に成型する事で、靴保護雨具の装着時・歩行時にかかる負荷をなくし、靴の上から履く事を可能にした、また靴保護雨具の内側中底部に、履いている靴が滑らない様に滑り止めの凹凸をつけた。踵部に穴を設け靴のヒール部を通す事でハイヒールにも使用でき、さらに靴保護雨具外側路面接触部に路面との摩擦による破れや歩行中に起こるゴムよれ防止にもなる滑り止めを貼り付ける事で実用性と安全性を確保できる形態で使用する携帯用靴保護雨具。
【発明の詳細な説明】
【技術分野】
【０００１】  本発明は、雨天時に履いている大切な靴を雨水から保護する為に用いる携帯靴保護雨具である。
【背景技術】
【０００２】  従来、雨天時の履物と言えば足が濡れない為の長靴、しかし近年ファッション性が重要視され長靴の需要が少なくなり、特に通勤、通学、冠婚葬祭での長靴使用は非常に抵抗があり見た目にも良くない問題や急な雨の対応が取れなかった。
【発明の開示】
【発明が解決しようとする課題】
【０００３】  雨天時に通勤、通学や冠婚葬祭で履く大切な靴を、履いたまま雨水から保護する事を目的とする。
【課題を解決するための手段】
【０００４】  上記の問題点を解決するために本発明は従来の足が濡れない為の形態から、履いている靴自体を雨水から保護する形態にする為、伸縮自在に出来る性質をもつゴムを素材に使用し靴下状に成型、さらに装着歩行時に起こる内側中底の滑り防止のため靴保護雨具底に凹凸を付け、靴保護雨具の外側路面接触部には路面との摩擦による破れや、ゴムよれ防止にもなる滑り止めを貼り付ける事で安全性を高める事を可能にすることが出来、靴の形状に関係なく靴の上から履く、携帯用として持ち歩くことも可能にした。
【発明を実施するための最良の形態】
【０００５】  本発明は伸縮自在に出来る特性をもったゴム素材を靴下状に成型、さらに安全性を高める為の中底の凹凸及び、靴保護雨具外側路面接触部にゴム破れ、ゴムよれ防止にもなる滑り止めを貼り付けた形態で、どんな形状の靴であっても靴の上から装着できる携帯靴保護用の雨具である。【０００６】上記の素材は伸縮自在に出来る特性を持ったゴム素材を靴下状に成型したものであり中底に滑り止めの凹凸がある。【０００７】靴保護雨具の踵部に穴を設ける事により、靴のヒール部を穴に通す事でハイヒール等にも使用できる設計になっている。【０００８】更に安全性、実用性を兼ね備えた滑り止めを貼り付ける形態である。
【実施例】
【０００９】実施例について図面を参照し説明すると、図１が携帯用靴保護雨具の形状、図２が下部から見た形状であり、かかとの部分に穴を設ければ、かかとが高い靴やハイヒール等にも使用出来る様になる。図３は滑り止めであり、この滑り止めを図２の点線の部分に貼り付ける事で安全性、実用性を高める事を可能にした。
【発明の効果】
【００１０】本発明は、以上説明した様な形態で実施され、以下に記載されるような効果を奏する。
【００１１】素材がゴムの為、防水機能も良く、靴の形に左右されず幅広く使用できる特徴を持つ。
【００１２】かかとの高い靴であっても、素材がゴムなので、容易に靴の上から履くことが出来る。
【００１３】滑り止めを貼り付ける事で歩行時のゴムよれ防止になりゴムをかぶせて歩く事を可能にした。歩行時の安全性を確保出来ている。
【図面の簡単な説明】
【００１４】
【図１】携帯用靴保護雨具の側面図である。
【図２】ヒール部の穴と滑り止め装着部を点線で描いた携帯用靴保護雨具の下部の図である。
【図３】滑り止めの図である。
【符号の説明】
【００１５】１、かかとの高い靴やハイヒール用の通し穴
２、滑り止めを貼り付ける位置を示す点線
３、きりとり線
【図１】
2008173410.tif 000003
【図２】
2008173410.tif 000004
【図３】
2008173410.tif 000005
(57)【要約】【課題】クールビス等の実施で仕事中でもノーネクタイというスタイルになり、ボタンダウンやタブカラーのついていないアンタイド（第１ボタンを外している状態）のシャツの衿元は締まりがなく見える。その姿はアフターファイブ（仕事終了後）のようである。本発明はこのような課題を解決するために提供されたものである。【解決手段】衿をクリップで挟み込むことにより、衿が立ち、衿元が引き締まることによってカッコよく見せることができる。クリップは、軽量なステンレスやアルミ、プラスティック、木材などで作成され、その形態は棒形やプレート型、曲線型などである。また、クリップの表面には様々な種類の絵柄が施されている。【選択図】図１
2008173425.tif 000002
【特許請求の範囲】
【請求項１】
クリップで衿をはさみ留めることを特徴とする。
【請求項２】
クリップが装飾具として様々な種類の形や絵柄をつけていることを特徴としている。
【発明の詳細な説明】
【技術分野】
【０００１】本発明は、ノーネクタイによるシャツの両衿元の締まりのなさを解決するために、クリップで衿を留めることによって、衿元Ｖゾーンをきれいにカッコ良く見せるようにしたものである。クリップは、装飾具として様々な種類の形や絵柄をつけているので、おしゃれで外観にもすぐれている。
【背景技術】
【０００２】両衿を整え、飾るためのクリップはなかった。
【特許文献１】特許電子図書館や他の文献では同様の発明を知るに至らなかった。
【発明の開示】
【発明が解決しようとする課題】
【０００３】クールビス等の実施で、ビジネスマンは仕事中でもノーネクタイというスタイルになり、ボタンダウンやタブカラーのついていないアンタイド（第１ボタンを外している状態）のシャツの衿元は締まりがなく見える。その姿はアフターファイブ（仕事終了後）のようである。本発明はこのような課題を解決するためになされたものである。
【課題を解決するための手段】
【０００４】この課題を解決するための請求項１の発明は、クリップで衿をはさみ留めることを特徴とする。このことにより、衿元を簡単に引き締め、カッコよく見せる。【０００５】また、請求項２の発明は、クリップが装飾具として様々な種類の形や絵柄をつけていることを特徴としている。
【発明の効果】
【０００６】ノータイのシャツでも衿元の締まりのなさを改善し、装飾具としておしゃれができる。
【発明を実施するための最良の形態】
【０００７】図１は、クリップで衿をはさみ留めることを特徴とする。同図に示すように衿をクリップで挟み込むことにより、衿が立ち、衿元が引き締まる。【０００８】クリップの材料は、軽量なステンレスやアルミ、プラスティック、シルバー、樹脂、木材などでよい。また、形は棒型やプレート型、あるいはト音記号や動物などを模した形が考えられる。さらにクリップの表面には、様々な種類の絵柄が、施される。
【産業上の利用可能性】
【０００９】本発明に係るシャツの衿を留める飾りクリップは、工業的に量産することが可能であるため産業上の利用可能性を有する。
【図面の簡単な説明】
【００１０】
【図１】本発明の正面からの使用図である。
【図２】本発明の側面からの使用図である。
【図３】クリップの正面図である。
【図４】クリップの側面図である。
【図５】クリップの裏面図である。
【図６】様々なクリップの形態
【符号の説明】
【００１１】１  クリップ本体
２  衿
３  挟持部表
４  挟持部裏
５  衿に差し込む部分
【図１】
2008173425.tif 000003
【図２】
2008173425.tif 000004
【図３】
2008173425.tif 000005
【図４】
2008173425.tif 000006
【図５】
2008173425.tif 000007
【図６】
2008173425.tif 000008
(57)【要約】【課題】  本発明は、一般家庭にも設置できる省スペースな岩盤浴ユニットを提供することを目的とするものである。【解決手段】  本発明は、背もたれ、座面、足乗せ場に４０℃〜５５℃に加熱された岩盤を配設した椅子と、その椅子を収納する浴室と、その浴室の室温、湿度を調節する調節器を有することを特徴とする。【選択図】図１
2008173421.tif 000002
【特許請求の範囲】
【請求項１】
背もたれ、座面、足乗せ場に４０℃〜５５℃に加熱された岩盤を配設した椅子と、その椅子を収納する浴室と、その浴室の室温、湿度を調節する調節器を有することを特徴とする岩盤浴ユニット。
【発明の詳細な説明】
【技術分野】
【０００１】本発明は、一般家庭にも設置できる省スペース用岩盤浴に関するものである。
【背景技術】
【０００２】ベッドタイプの家庭用岩盤浴ユニットは下記文献にも示されている。
【特許文献１】特開２００６−３３４２５８号公報
【発明の開示】
【発明が解決しようとする課題】
【０００３】従来のベッドタイプの岩盤浴ユニットでは、家庭用といえども、その長さが２ｍ程度必要である。
本発明は、これらの問題点を解決するためになされたものであり、省スペースに優れた岩盤浴ユニットを提供するものである。
【問題を解決するための手段】
【０００４】本発明の岩盤浴ユニットは、背もたれ、座面、足乗せ場に４０℃〜５５℃に加熱された岩盤を配設した椅子と、その椅子を収納する浴室と、その浴室の室温、湿度を調節する調節器を有する。
【発明の効果】
【０００５】本発明により、より狭いスペースでも岩盤浴ユニットの設置ができ、岩盤浴を楽しむことができる。岩盤浴の効果は、岩盤から発生する遠赤外線により発汗することで体内の活性化を促し、体調を整えるものである。岩盤浴の室温は、サウナほど高温にならないため、体、特に心臓への負担が少なくより多くの方が楽しむことができる。
【発明を実施するための最良の形態】
【０００６】以下、本発明の実施の形態について説明する。【０００７】図１に本発明の概略構成を図２にその断面図を示す。【０００８】まず、内壁８で組み立てられた浴室の中に椅子１を設置する。この椅子１の座面には座面用岩盤２と背もたれ用岩盤３を敷設し、さらに椅子１に座ったときに足がくる位置に足置き用岩盤４を敷設する。【０００９】これらの岩盤は、図２に示すようそれぞれのヒーター１４、１５、１６にて加熱され、所望の温度４０〜５５℃に調節される。【００１０】このとき、これら３つの岩盤用ヒーターは、それぞれ独立して温度制御しても良いし、まとめて制御しても良い。ヒーターの加熱方式は電気加熱でも温水加熱でも良い。【００１１】またこのとき、足置き用岩盤ヒーターは、市販の温足器を採用しても良く、ふくらはぎまで温める構造でも良い。【００１２】ここでいう岩盤とは、岩盤浴を目的として使用される石材やセラミックス（陶磁器、耐火物、研削材、セメント、ガラス、炭素等）を意味する。これらは、未加工状態のものでも良いし、平板状に加工された状態でも良い。また、これら石材やセラミックスの粒状体または粉状体を単独でまたは複数種類あわせてセメントなどと混合して固化しても良い。【００１３】また、椅子１の背もたれ角度は、９０度から０度（完全に寝かせる）の任意の範囲にとることができる。【００１４】浴室内の室温調節は、室温調節用ヒーター５、湿度調節は、湿度調節器６にて行う。【００１５】浴室の内壁８は断熱材１７により外壁９と断熱されるため、浴室内の温湿度は一定に保たれる。【００１６】このような椅子に座るタイプの岩盤浴でも、岩盤から得られる遠赤外線による発汗作用は、ベッドタイプのそれと同じであり、十分岩盤浴を楽しむことができる。【００１７】また、この座るタイプの岩盤浴では、浴室の長さを０．７ｍ〜１．５ｍ程度に縮めることができるため、スペースのない家庭でも設置することができる。
【図面の簡単な説明】
【００１８】
【図１】本発明の岩盤浴ユニットの斜視図である。
【図２】本発明の断面図である。
【符号の説明】
【００１９】  １  椅子
２  座面用岩盤
３  背もたれ用岩盤
４  足置き用岩盤
５  室温調節用ヒーター
６  湿度調節器
７  照明
８  内壁
９  外壁
１０  天井
１１  取手
１２  窓
１３  ドア
１４  座面用岩盤ヒーター
１５  背もたれ用岩盤ヒーター
１６  足置き用岩盤ヒーター
１７  断熱材
【図１】
2008173421.tif 000003
【図２】
2008173421.tif 000004